(57)【要約】【課題】実装ケースに光束のエネルギが吸収されることによって実装ケースの温度が上昇したり、実装ケースの反射面において反射された光束の影響を受けて表示特性が劣化したりすることを抑制する電気光学装置、実装ケース、及び電子機器を提供する。【解決手段】電気光学装置は、電気光学素子と、当該電気光学素子を収容するための実装ケースと、を備えた電気光学装置であって、実装ケースは、電気光学素子の一方に対応して設けられた開口部と、該開口部を囲む周囲に形成されており、電気光学素子の一方の面に対して傾いた斜面を備え、開口部を形成する実装ケースの各内壁面は、それぞれ電気光学素子の一方の面に略垂直に形成されており、斜面は、電気光学素子の一方の面に略垂直に入射して斜面に反射された反射光束が、電気光学素子の面に略垂直に入射可能な光束と交差することを避ける方向に反射される方向に傾いている。【選択図】図５
2010008845.tif 000002
【特許請求の範囲】
【請求項１】
電気光学素子と、当該電気光学素子を収容するための実装ケースと、を備えた電気光学装置であって、
前記実装ケースは、前記電気光学素子の画素領域に対応して設けられた開口部と、
前記開口部を囲む周囲に形成されており、前記電気光学素子の一方の面に対して傾いた斜面とを備え、
前記開口部を規定する前記実装ケースの内壁面は、前記電気光学素子の前記一方の面に略垂直に形成されてなることを特徴とする電気光学装置。
【請求項２】
前記斜面は、前記一方の面に略垂直に入射して前記斜面に反射された反射光束が、前記一方の面に略垂直に入射可能な光束と交差することを避ける方向に反射される状態に傾いていることを特徴とする、請求項１に記載の電気光学装置。
【請求項３】
前記実装ケース及び前記斜面は、金属材料からなることを特徴とする、請求項１又は２に記載の電気光学装置。
【請求項４】
前記斜面は、鏡面処理を施されていることを特徴とする、請求項１乃至３のいずれか一項に記載の電気光学装置。
【請求項５】
前記電気光学素子に対して光束が入射する側に設けられた光学素子をさらに備え、前記斜面は、前記光学素子と前記電気光学素子との間に配設されていることを特徴とする、請求項１乃至４のいずれか一項に記載の電気光学装置。
【請求項６】
前記斜面は、前記実装ケースに形成されていることを特徴とする、請求項１乃至５のいずれか一項に記載の電気光学装置。
【請求項７】
前記斜面と前記光学素子との間に設けられており、前記斜面によって反射された前記反射光束が、当該反射光束より前記一方の面に略垂直に入射可能な光束と交差することを避ける方向に向けて反射される方向に傾けて形成されている第二の斜面をさらに備えることを特徴とする、請求項５又は６に記載の電気光学装置。
【請求項８】
電気光学素子を収容するための実装ケースであって、
前記電気光学素子の画素領域に対応して設けられた開口部と、
前記開口部を囲む周囲に形成されており、前記電気光学素子の一方の面に対して傾いた斜面と、を備え、
前記開口部を形成する内壁面は、実装ケースに収容された前記電気光学素子の前記一方の面に、略垂直に形成されてなることを特徴とする実装ケース。
【請求項９】
前記斜面は、前記一方の面に略垂直に入射して前記斜面に反射された反射光束が、前記一方の面に略垂直に入射可能な光束と交差することを避ける方向に反射される方向に傾いていることを特徴とする、請求項８に記載の実装ケース。
【請求項１０】
前記斜面を形成する部分は、金属材料からなることを特徴とする、請求項８又は９に記載の実装ケース。
【請求項１１】
前記斜面は、鏡面処理を施されていることを特徴とする、請求項８乃至１０のいずれか一項に記載の実装ケース。
【請求項１２】
請求項１乃至７のいずれか一項に記載の電気光学装置を備えることを特徴とする電子機器。
【発明の詳細な説明】
【技術分野】
【０００１】
本発明は、電気光学素子が実装ケースに収容された電気光学装置、電気光学素子を収容する実装ケース、及び電気光学装置を備える電子機器に関する。
【背景技術】
【０００２】
従来から、光源から出射された光束を画像情報などに応じて変調する液晶パネルなどの電気光学素子を備える電気光学装置が知られている。このような電気光学装置においては、液晶パネルの温度が上昇することによって劣化の進行が速くなることに起因して、寿命の低下をきたすことがあった。特許文献１には、表示パネルの熱を放出するための放熱膜や放熱体を設け、表示パネルの熱を放出し易くすることで、温度上昇を抑制する表示装置が開示されている。
【０００３】
また、表示パネルにおいて、変調する光束を通過させる表示領域に欠けることなく光束が当たるようにするためには、光源から出射された光束は表示パネルを保持する実装ケースにも当たらざるを得ないため、光束が当たることによって実装ケースの温度が上昇し、実装ケースの温度が上昇することによって表示パネルの温度が上昇することもあった。特許文献２には、画像形成領域（表示領域）を外れて実装ケースに当たる光束を反射する反射面を設けることによって、光束によって実装ケースの温度が上昇することを抑制するプロジェクタが開示されている。
【０００４】
【特許文献１】特開２００３−５８０６５号公報
【特許文献２】特開２００７−１９９２７９号公報
【発明の開示】
【発明が解決しようとする課題】
【０００５】
しかしながら、反射面において反射された光束は、表示領域の部分に入射する可能性があった。表示領域の部分に余分な光束が入射することによって、例えば輝度むらが発生するなどのように、表示特性が劣化する可能性があるという課題があった。
【課題を解決するための手段】
【０００６】
本発明は、上記課題の少なくとも一部を解決するためになされたものであり、以下の形態又は適用例として実現することが可能である。
【０００７】
［適用例１］本適用例にかかる電気光学装置は、電気光学素子と、当該電気光学素子を収容するための実装ケースと、を備えた電気光学装置であって、前記実装ケースは、前記電気光学素子の画素領域に対応して設けられた開口部と、前記開口部を囲む周囲に形成されており、前記電気光学素子の一方の面に対して傾いた斜面とを備え、前記開口部を規定する前記実装ケースの内壁面は、前記電気光学素子の前記一方の面に略垂直に形成されてなることを特徴とする。
【０００８】
この電気光学装置によれば、電気光学素子の画素領域に向けて照射された光束の開口部から外れた部分は、開口部を囲む周囲に形成された斜面に照射される。斜面は、電気光学素子の一方の面に対して傾いていることから、電気光学素子の面と同じ方向を向いている面に比べて光束を反射し易いため、光を吸収して実装ケースの温度が上昇することを抑制することができる。
開口部を形成する実装ケースの各内壁面は、それぞれ電気光学素子の一方の面に略垂直に形成されていることから、電気光学素子の面に略垂直に入射する光束とは略平行である。これにより、電気光学素子の面に略垂直に入射する光束が開口部の各内壁面に照射されることは殆どないため、開口部の内壁面に当たった光が吸収されて実装ケースの温度が上昇することを抑制することができる。また、内壁面に当たって反射された光束が電気光学素子の一方の面の一部分に入射することによって、当該部分の輝度が変化するなどの影響を受けることを抑制することができる。
【０００９】
［適用例２］上記適用例にかかる電気光学装置において、前記斜面は、前記一方の面に略垂直に入射して前記斜面に反射された反射光束が、前記一方の面に略垂直に入射可能な光束と交差することを避ける方向に反射される状態に傾いていることが好ましい。
【００１０】
この電気光学装置によれば、斜面に反射された反射光束は、電気光学素子の一方の面に略垂直に入射可能な光束と交差することを避ける方向に反射されることから、当該反射光束が電気光学素子の一方の面に入射する可能性は殆どないため、反射光束が気光学素子の一方の面の一部分に入射することによって、当該部分の輝度が変化するなどの影響を受ける可能性をほとんどなくすることができる。
【００１１】
［適用例３］上記適用例にかかる電気光学装置において、前記実装ケース及び前記斜面は、金属材料からなることが好ましい。
【００１２】
この電気光学装置によれば、斜面を金属材料で形成することによって、例えばプラスチックなどを用いて形成する場合に比べて、光束を反射し易い面状態に、斜面を加工し易くすることができる。一般的に金属材料は熱を伝導し易いことから、実装ケースを金属材料で形成することで、実装ケースは熱を伝導し易くなるため、実装ケースに加えられた熱を放出し易くして、実装ケースの温度が上昇することを抑制することができる。
【００１３】
［適用例４］上記適用例にかかる電気光学装置において、前記斜面は、鏡面処理を施されていることが好ましい。
【００１４】
この電気光学装置によれば、斜面を鏡面にすることで、光束を反射し易くすることができる。
【００１５】
［適用例５］上記適用例にかかる電気光学装置において、前記電気光学素子に対して光束が入射する側に設けられた光学素子をさらに備え、前記斜面は、前記光学素子と前記電気光学素子との間に配設されていることが好ましい。
【００１６】
この電気光学装置によれば、斜面によって反射された反射光束は入射される光束とは方向が変わることから、斜面がない場合のように反射光束が入射方向に戻ることがないため、光学素子に対して、反射光束が当該光学素子における光束を出射する側の面に照射されることを抑制することができる。
【００１７】
［適用例６］上記適用例にかかる電気光学装置において、前記斜面は、前記実装ケースに形成されていることが好ましい。
【００１８】
この電気光学装置によれば、斜面は実装ケースと一体であり、斜面と実装ケースとがずれることに起因して、光束が斜面に遮られることなく実装ケースに照射される可能性をほとんどなくすることができる。
【００１９】
［適用例７］上記適用例にかかる電気光学装置において、前記斜面と前記光学素子との間に設けられており、前記斜面によって反射された前記反射光束が、当該反射光束より前記一方の面に略垂直に入射可能な光束と交差することを避ける方向に向けて反射される方向に傾けて形成されている第二の斜面をさらに備えることが好ましい。
【００２０】
この電気光学装置によれば、反射光束を第二の斜面で反射することによって、反射光束が光学素子に当たることによって、光学素子が、温度が上昇するなどの影響を受けることを抑制することができる。
【００２１】
［適用例８］本適用例にかかる実装ケースは、電気光学素子を収容するための実装ケースであって、前記電気光学素子の画素領域に対応して設けられた開口部と、前記開口部を囲む周囲に形成されており、前記電気光学素子の一方の面に対して傾いた斜面と、を備え、前記開口部を形成する内壁面は、実装ケースに収容された前記電気光学素子の前記一方の面に、略垂直に形成されてなることを特徴とする。
【００２２】
この実装ケースによれば、電気光学素子の一方の面に向けて照射された光束の開口部から外れた部分は、開口部を囲む周囲に形成された斜面に照射される。斜面は、画素領域の面に対して傾いていることから、一方の面と同じ方向を向いている面に比べて光束を反射し易いため、光を吸収して実装ケースの温度が上昇することを抑制することができる。
開口部を形成する実装ケースの各内壁面は、それぞれ一方の面に略垂直に形成されていることから、一方の面に略垂直に入射する光束とは略平行であって、一方の面に略垂直に入射する光束が開口部の各内壁面に照射されることは殆どないため、開口部の内壁面に当たった光が吸収されて実装ケースの温度が上昇することを抑制することができる。また、内壁面に当たって反射された光束が一方の一部分に入射することによって、当該部分の輝度が変化するなどの影響を受けることを抑制することができる。
【００２３】
［適用例９］上記適用例にかかる実装ケースにおいて、前記斜面は、前記一方の面に略垂直に入射して前記斜面に反射された反射光束が、前記一方の面に略垂直に入射可能な光束と交差することを避ける方向に反射される方向に傾いていることが好ましい。
【００２４】
この実装ケースによれば、斜面に反射された反射光束は、電気光学素子の一方の面に略垂直に入射可能な光束と交差することを避ける方向に反射されることから、当該反射光束が電気光学素子の面に入射する可能性は殆どないため、反射光束が電気光学素子の面の一部分に入射することによって、当該部分の輝度が変化するなどの影響を受ける可能性をほとんどなくすることができる。
【００２５】
［適用例１０］上記適用例にかかる実装ケースにおいて、前記斜面を形成する部分は、金属材料からなることが好ましい。
【００２６】
この実装ケースによれば、斜面を金属材料で形成することによって、例えばプラスチックなどを用いて形成する場合に比べて、光束を反射し易い面状態に、斜面を加工し易くすることができる。一般的に金属材料は熱を伝導し易いことから、実装ケースを金属材料で形成することで、実装ケースは熱を伝導し易くなるため、実装ケースに加えられた熱を放出し易くして、実装ケースの温度が上昇することを抑制することができる。
【００２７】
［適用例１１］上記適用例にかかる実装ケースにおいて、前記斜面は、鏡面処理を施されていることが好ましい。
【００２８】
この実装ケースによれば、斜面を鏡面にすることで、光束を反射し易くすることができる。
【００２９】
［適用例１２］本適用例にかかる電子機器は、上記適用例にかかる電気光学装置を備えることを特徴とする。
【００３０】
この電子機器によれば、光束が実装ケースに当たることによる影響を抑制できる電気光学装置を備えるため、有効な領域を外れた光束によって影響を受けることを抑制することができる。
【発明を実施するための最良の形態】
【００３１】
以下、電気光学装置、実装ケース、及び電子機器の好適な実施の形態について、電気光学素子を備える電気光学装置の一実施形態としての、液晶変調パネルを備える液晶光変調装置（液晶ライトバルブ）、及び電気光学装置を備える電子機器としての投射型表示装置を例に、図面を参照して説明する。なお、以下の説明において参照する図面では、図示の便宜上、部材又は部分の縦横の縮尺を実際のものとは異なるように表す場合がある。
【００３２】
＜投射型表示装置＞
最初に、投射型表示装置について、図１を参照して説明する。投射型表示装置は、光源から出射される光束を画像情報に応じて変調して光学像を形成し、形成した光学像をスクリーン上に拡大投射するものである。図１は、投射型表示装置の概略構成を示す模式図である。
図１に示すように、投射型表示装置１０は、光源装置１１と、色分離光学装置１２と、リレー光学装置１４と、光学変調装置１６と、投射光学装置１７とを備えている。
【００３３】
光源装置１１は、光変調装置（液晶パネル）の画像形成領域を略均一に照明するための光学系であり、光束を出射する光源ランプ２１と、リフレクタ２２と、光源レンズ群２３とを備えている。光源ランプ２１から放射状に出射された光束は、リフレクタ２２によって一定の位置に収束される。光源レンズ群２３は、複数のレンズやレンズアレイを有し、リフレクタ２２によって収束される光束を光軸に平行な平行光にする。
【００３４】
色分離光学装置１２は、光源装置１１から出射された光束を分光する装置である。投射型表示装置１０は３色のカラー表示を行う装置であり、色分離光学装置１２は、光源装置１１から出射された光束を、赤色と緑色と青色との３色に分光する。色分離光学装置１２は、ダイクロイックミラー２４ａ及びダイクロイックミラー２４ｂを備えている。ダイクロイックミラー２４ａは、赤色光を透過させると共に、緑色光及び青色光を反射して、緑色光及び青色光の光軸の方向を、光源装置１１から出射された光束の光軸の方向に略垂直な方向に変換する。ダイクロイックミラー２４ｂは、青色光を透過させると共に、緑色光を反射して、緑色光の光軸の方向を、光源装置１１から出射された光束の光軸の方向と略平行な方向であって光源装置１１から出射された光束と同じ方に進む方向に変換する。
【００３５】
リレー光学装置１４は、入射側レンズ３１、リレーレンズ３２、および反射ミラー３３ａ，３３ｂ，３３ｃを備え、色分離光学装置１２で分離された色光をそれぞれの液晶光変調装置４１まで導く機能を有している。
【００３６】
ダイクロイックミラー２４ａを通過した赤色光は、反射ミラー３３ａによって、ダイクロイックミラー２４ａに反射された緑色光及び青色光と同じ方向に反射されて、光学変調装置１６が備える液晶光変調装置４１Ｒに入射する。ダイクロイックミラー２４ｂで反射された緑色光は、そのまま光学変調装置１６が備える液晶光変調装置４１Ｇに入射する。
ダイクロイックミラー２４を透過した青色光は、入射側レンズ３１を通過して反射ミラー３３ｂによって反射され、リレーレンズ３２を通過して反射ミラー３３ｃによって反射され、もう１個のリレーレンズ３２を通過して、光学変調装置１６が備える液晶光変調装置４１Ｂに入射する。反射ミラー３３ｂによって反射された青色光は、光軸の方向が、ダイクロイックミラー２４ａを通過した赤色光の光軸の方向、及び液晶光変調装置４１Ｇに入射する緑色光の光軸の方向と平行であって、光の進む方向が同一である。
反射ミラー３３ｃによって反射された青色光の光軸の方向は、光軸の方向が、反射ミラー３３ａによって、反射された赤色光の光軸の方向、及びダイクロイックミラー２４ａに反射された緑色光及び青色光の光軸の方向に平行であり、光の進む方向が反対方向である。赤色光、緑色光及び青色光の光軸は、同一平面内にあり、当該平面内において方向が変えられている。従って、液晶光変調装置４１Ｒに入射する赤色光と液晶光変調装置４１Ｂに入射する青色光とは、光軸の位置及び方向は略同一であり、光の進む方向が反対になっている。
【００３７】
光学変調装置１６は、色分離光学装置１２から出射される３色の色光を画像情報に応じてそれぞれ変調し、変調した各色光を合成して画像光（カラー画像）を形成する。光学変調装置１６は、液晶光変調装置４１と、入射側偏光板４６と、出射側偏光板４７と、クロスダイクロイックプリズム４８とを備えている。
液晶光変調装置４１としては、上記したように、赤色光用の液晶光変調装置４１Ｒ、緑色光用の液晶光変調装置４１Ｇ、及び青色光用の液晶光変調装置４１Ｂを備えている。液晶光変調装置４１は、液晶変調パネル４２と、液晶変調パネル４２を保持する実装ケース４３とを備えている。それぞれの液晶光変調装置４１の光束入射側には、入射側偏光板４６が配設されている。液晶光変調装置４１の光束出射側には、それぞれ出射側偏光板４７が配設されている。
クロスダイクロイックプリズム４８は、色光毎に変調されて出射側偏光板４７から出射された変調光を合成して画像光（カラー画像）を形成する光学素子である。
【００３８】
入射側偏光板４６は、図示省略した偏光変換素子によって偏光方向が略一方向に揃えられた各色光が入射され、入射された光束のうち、偏光変換素子で揃えられた光束の偏光軸と略同一方向の偏光軸を有する光束のみ透過させ、その他の光束を吸収するものである。入射側偏光板４６は、例えば、サファイアガラスまたは水晶等の透光性基板上に偏光膜が貼付された構成を有している。
【００３９】
液晶光変調装置４１を構成する液晶変調パネル４２は、一対の透明なガラス基板に電気光学物質である液晶が密閉封入された構成を有する。液晶変調パネル４２は、制御装置からの駆動信号に応じて、液晶の配向状態が制御され、入射側偏光板４６から出射された偏光光束の偏光方向を変調する。液晶変調パネル４２は、液晶光変調装置４１を構成する実装ケース４３に保持されている。液晶変調パネル４２を保持する実装ケース４３の具体的な構成については後述する。
【００４０】
出射側偏光板４７は、入射側偏光板４６と同様の構成を有し、液晶光変調装置４１から出射された光束のうち、入射側偏光板４６における光束の透過軸と直交する偏光軸を有する光束のみ透過させ、その他の光束を吸収するものである。
【００４１】
クロスダイクロイックプリズム４８は、出射側偏光板４７から出射された色光毎に変調された変調光を合成して画像光（カラー画像）を形成する光学素子である。このクロスダイクロイックプリズム４８は、４つの直角プリズムを貼り合わせた平面視正方形状をなし、直角プリズム同士を貼り合わせた界面には、２つの誘電体多層膜が形成されている。これら誘電体多層膜は、投射光学装置１７が有する投射レンズ４９と対向する側（Ｇ色光側）に配置された出射側偏光板４７を介した色光を透過し、残りの２つの出射側偏光板４７（Ｒ色光側及びＢ色光側）を介した各色光を反射する。このようにして、各入射側偏光板４６、液晶光変調装置４１、及び各出射側偏光板４７によって変調された各色光が合成されてカラー画像が形成される。
【００４２】
合成された光は、クロスダイクロイックプリズム４８の投射レンズ４９に対向する面から出射されて、投射レンズ４９によってスクリーン１９上に投射され、スクリーン１９上にカラー画像が表示される。
【００４３】
＜液晶変調パネル＞
次に、液晶変調パネル４２について、図２を参照して説明する。図２は、液晶変調パネルの構造を示す模式図である。図２（ａ）は、液晶変調パネルについて、各構成要素と共に対向基板側から見た平面図であり、図２（ｂ）は、図２（ａ）にＨ−Ｈで示した断面における断面形状を示す概略断面図である。
本実施形態にかかる液晶変調パネルは、電気光学素子の一例である駆動回路内蔵型のＴＦＴアクティブマトリクス駆動方式の液晶パネルである。
【００４４】
図２に示したように、液晶変調パネル４２は、ＴＦＴアレイ基板５５と対向基板５７とが対向配置されている。ＴＦＴアレイ基板５５と対向基板５７との間に液晶層５０が封入されており、ＴＦＴアレイ基板５５と対向基板５７とは、画像表示領域４２ａの周囲に位置するシール領域に設けられたシール材５２により相互に接着されている。
【００４５】
シール材５２は、両基板を貼り合わせるための、例えば紫外線硬化樹脂、熱硬化樹脂等からなり、製造プロセスにおいてＴＦＴアレイ基板５５上に塗布された後、紫外線照射、加熱等により硬化させられたものである。また、シール材５２中には、ＴＦＴアレイ基板５５と対向基板５７との間隔（基板間ギャップ）を所定値とするためのグラスファイバ或いはガラスビーズ等のギャップ材が散布されている。
【００４６】
シール材５２が配置されたシール領域の内側に並行して、画像表示領域４２ａの額縁領域を規定する遮光性の額縁遮光膜５３が、対向基板５７側に設けられている。但し、このような額縁遮光膜５３の一部又は全部は、ＴＦＴアレイ基板５５側に内蔵遮光膜として設けてもよい。
【００４７】
画像表示領域４２ａの周辺に広がる領域のうち、シール材５２が配置されたシール領域の外側に位置する領域には、データ線駆動回路６１及び外部回路接続端子６２がＴＦＴアレイ基板５５の一辺に沿って設けられている。また、走査線駆動回路６４は、この一辺に隣接する２辺に沿い、且つ、額縁遮光膜５３に覆われるようにして設けられている。さらに、このように画像表示領域４２ａの両側に設けられた二つの走査線駆動回路６４間をつなぐため、ＴＦＴアレイ基板５５の残る一辺に沿い、且つ、前記額縁遮光膜５３に覆われるようにして複数の配線６５が設けられている。
【００４８】
対向基板５７の４つのコーナー部には、両基板間の上下導通端子として機能する上下導通材６６が配置されている。他方、ＴＦＴアレイ基板５５にはこれらのコーナーに対向する領域において上下導通端子が設けられている。これらにより、ＴＦＴアレイ基板５５と対向基板５７との間で電気的な導通をとることができる。
【００４９】
図２（ｂ）において、ＴＦＴアレイ基板５５上には、画素スイッチング用のＴＦＴや走査線、データ線等の配線が形成された後の画素電極６９上に、図示しない配向膜が形成されている。他方、対向基板５７上には、対向電極６７の他、格子状又はストライプ状の遮光膜６８、さらには最上層部分に図示しない配向膜が形成されている。また、液晶層５０は、例えば一種又は数種類のネマティック液晶を混合した液晶からなり、これら一対の配向膜間で、所定の配向状態をとる。
【００５０】
なお、図２に示したＴＦＴアレイ基板５５上には、これらのデータ線駆動回路６１、走査線駆動回路６４等に加えて、他の回路を形成してもよい。他の回路として、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５１】
＜液晶光変調装置＞
次に、液晶光変調装置４１の構成について、図３及び図４を参照して説明する。最初に、液晶光変調装置４１を構成する主要な要素について説明する。図３は、液晶光変調装置を構成する主要要素を示す分解斜視図である。
【００５２】
図３に示すように、液晶光変調装置４１は、本発明に係る電気光学装置の一例であり、上述した液晶変調パネル４２と、実装ケース４３と、フレキシブル配線基板（Flexible Printed Circuits、以降「ＦＰＣ」と表記する。）４５と、を有している。
ＦＰＣ４５は、液晶変調パネル４２の外部回路接続端子６２の部分で、液晶変調パネル４２に電気的に接続されている。液晶変調パネル４２における、外部からの光が入射する側の対向基板５７の入射表面５７ａと、入射した光が液晶を通過して光変調されて出射される側のＴＦＴアレイ基板５５の出射表面５５ａとには、防塵用基板としての入射防塵ガラス７６又は出射防塵ガラス７７がそれぞれ接着固定され一体となっている。入射防塵ガラス７６及び出射防塵ガラス７７は、投射型表示装置１０において液晶光変調装置４１に表示された画像を投射する際に、液晶変調パネル４２の表面に付着した異物等が映像として映し出されないように焦点をずらすため、およそ１．０〜２．０ｍｍの厚みを有している。
【００５３】
実装ケース４３は、保持部材としてのケースプレート７１と、ケースカバー７２と、ケース止め７３とを有している。
ケースプレート７１は、液晶変調パネル４２を収容する凹部を有する筐体であり、液晶変調パネル４２（出射防塵ガラス７７の出射表面７７ａ）の画像表示領域４２ａの周辺領域を支持する額縁領域７１ｂを有している。額縁領域７１ｂには、液晶変調パネル４２の画像表示領域４２ａに対応した大きさの開口部７１ａが設けられている。
額縁領域７１ｂの外周には、側壁７１ｃ、２個所の側壁７１ｄ、及び側壁７１ｅが形成されている。側壁７１ｃ、及び側壁７１ｅの両端には、液晶光変調装置４１を投射型表示装置１０に取り付けるための取付孔７１ｈが設けられている。また、側壁７１ｅの中央側には、収容される液晶変調パネル４２に接続されたフレキシブル配線基板（ＦＰＣ）４５を支持する切り欠き部７１ｇが設けられている。側壁７１ｃの中央には、円柱状の突起７１ｊが設けられている。
【００５４】
ケースカバー７２は、ケースプレート７１と協働して液晶変調パネル４２を収容する凹部を有する筐体の、取付孔７１ｈに対応する位置である四隅が切り欠かれた形状を有している。ケースカバー７２は、液晶変調パネル４２（入射防塵ガラス７６の入射表面７６ａ）の画像表示領域４２ａの周辺領域を支持する額縁領域７２ｂを有している。額縁領域７２ｂには、液晶変調パネル４２の画像表示領域４２ａに対応した大きさの開口部７２ａが形成されている。ケースカバー７２には、額縁領域７２ｂを囲うように側壁７２ｃ、２個所の側壁７２ｄ、及び側壁７２ｅが形成されている。２個所の側壁７２ｄの側面には、略三角柱状に突起したフック部７２ｆがそれぞれ設けられている。
【００５５】
開口部７２ａは、４個所の開口壁７２１で形成されている。開口部７２ａの縁（開口壁７２１の端）と、側壁７２ｃ又は側壁７２ｅと、を結ぶ斜面を傾斜面７２３と表記する。開口部７２ａの縁（開口壁７２１の端）と、側壁７２ｄの側面とを結ぶ斜面を傾斜面７２２と表記する。傾斜面７２３と傾斜面７２２とを結ぶ斜面を傾斜面７２４と表記する。開口壁７２１と、当該開口壁７２１に連なる傾斜面７２２、傾斜面７２３、又は傾斜面７２４とが、開口壁７２１、及び当該開口壁７２１に連なる傾斜面７２２、傾斜面７２３、又は傾斜面７２４に垂直な断面において形成する角度は、少なくとも９０度より小さくなっている。
【００５６】
傾斜面７２２、傾斜面７２３、及び傾斜面７２４は、光を反射し易くするために滑らかな面にすることが好ましい。より好ましくは、鏡面にすることが好ましい。ケースカバー７２の材料としては、ケースカバー７２を形成できる材料であれば特に制限はないが、傾斜面７２２、傾斜面７２３、及び傾斜面７２４を滑らかな面にしたり、鏡面にしたりするためには、金属材料を用いることが好ましい。
【００５７】
ケース止め７３は、側面視略コの字型の形状をしており、ケースプレート７１と当接する面に、液晶変調パネル４２の画像表示領域４２ａに対応した大きさの開口部７３ａを有している。また折り曲げられた両端の側壁７３ｂの突出部に、ケースカバー７２のフック部７２ｆに対応した大きさのフック開口７３ｃを有している。
【００５８】
次に、組立てられた状態の液晶光変調装置４１について、図４を参照して説明する。図４は、液晶光変調装置の概略形状を示す外観斜視図である。図４に示すように、液晶変調パネル４２が、入射防塵ガラス７６や液晶変調パネル４２に隠れて図示されない出射防塵ガラス７７と共に、ケースカバー７２とケースプレート７１とに挟持されて、実装ケース４３に保持されている。一端が液晶変調パネル４２に接続されたＦＰＣ４５は、中間を切り欠き部７１ｇの部分で支持されて、もう一端側が、実装ケース４３の外部に出ている。
【００５９】
実装ケース４３に保持された液晶変調パネル４２の画像表示領域４２ａの面に対して、ケースカバー７２の開口部７２ａを構成する開口壁７２１は、それぞれ略垂直である。ケースカバー７２の傾斜面７２２、傾斜面７２３、及び傾斜面７２４は、外周部分に比べて開口部７２ａ側が光束が入射する側に膨出した状態で形成されており、実装ケース４３に保持された液晶変調パネル４２の画像表示領域４２ａの面に対して、それぞれ、開口部７２ａと反対側に傾いている。
【００６０】
上述したように、液晶光変調装置４１に入射される光束は、光軸に平行な平行光であって、ケースカバー７２側から入射し、光軸が液晶変調パネル４２の画像表示領域４２ａの面に対して略垂直に入射する。したがって、ケースカバー７２の開口部７２ａを構成する開口壁７２１は、それぞれ入射光束の光軸に対して、略並行に形成されている。ケースカバー７２の傾斜面７２２、傾斜面７２３、及び傾斜面７２４は、外周部分に比べて開口部７２ａ側が光束が入射する側に膨出した状態で形成されており、入射される光束がこれらの面によって反射されると反射光が開口部７２ａとは反対側に反射される状態となっている。
【００６１】
＜入射光束の反射＞
次に、液晶光変調装置４１に入射した光束が反射される状態について、図５を参照して説明する。図５は、液晶光変調装置の断面形状と入射光束及び反射光束の状態とを示す説明図である。図５（ａ）は、図４にＡ−Ａで示した断面における液晶光変調装置の断面形状と入射光束及び反射光束の状態とを示す説明図であり、図５（ｂ）は、図４にＢ−Ｂで示した断面における液晶光変調装置の断面形状と入射光束及び反射光束の状態とを示す説明図である。
【００６２】
上述したように、液晶光変調装置４１に入射する光束は、入射側偏光板４６を透過して、液晶変調パネル４２の画像表示領域４２ａの面に対して略垂直に入射する。液晶変調パネル４２の光束が入射する側には入射防塵ガラス７６が配設されており、光束は、入射防塵ガラス７６の入射表面７６ａに略垂直に入射する。
【００６３】
図５（ａ）に示すように、ケースカバー７２の開口部７２ａに入射する光束は、光束Ｌ１のように、入射表面７６ａ（液晶変調パネル４２の画像表示領域４２ａの面）に略垂直に入射して、液晶変調パネル４２によって変調されて、出射防塵ガラス７７側から出射される。光束Ｌ１のように、開口部７２ａの端の方に入射した光束であっても、開口壁７２１は入射防塵ガラス７６の入射表面７６ａに略垂直に形成されているため、光束の軸方向と開口壁７２１とは平行であって、開口部７２ａに入射した光束が開口壁７２１に当たることは実質的にないと言ってよい。開口壁７２１が、開口部を形成する実装ケースの内壁面に相当する。
【００６４】
光束Ｌ２又は光束Ｌ３のように、開口部７２ａから外れた光束は、ケースカバー７２の傾斜面７２２に当たる。傾斜面７２２は、開口部７２ａの側が光束の入射方向に膨出した状態で、画像表示領域４２ａの面に対して傾いているため、傾斜面７２２に当たった光束Ｌ２又は光束Ｌ３が傾斜面７２２によって反射された反射光束Ｌ２１及び反射光束Ｌ３１は、光束Ｌ２又は光束Ｌ３に対して開口部７２ａとは反対側に向けて反射される。傾斜面７２２が斜面に相当する。
【００６５】
図５（ｂ）に示すように、光束Ｌ４のように開口部７２ａの端の方に入射した光束であっても、開口壁７２１は入射防塵ガラス７６の入射表面７６ａに略垂直に形成されているため、光束の軸方向と開口壁７２１とは平行であって、開口部７２ａに入射した光束が開口壁７２１に当たることは実質的にないと言ってよい。
【００６６】
光束Ｌ５又は光束Ｌ６のように、開口部７２ａから外れた光束は、ケースカバー７２の傾斜面７２３に当たる。傾斜面７２３は、開口部７２ａの側が光束の入射方向に膨出した状態で、画像表示領域４２ａの面に対して傾いているため、傾斜面７２３に当たった光束Ｌ５又は光束Ｌ６が傾斜面７２３によって反射された反射光束Ｌ５１及び反射光束Ｌ６１は、光束Ｌ５又は光束Ｌ６に対して開口部７２ａとは反対側に向けて反射される。傾斜面７２３が斜面に相当する。
【００６７】
＜他の液晶光変調装置＞
次に、上述した液晶光変調装置４１とは異なる構成を有する液晶光変調装置８１の構成について、図６を参照して説明する。図６は、液晶光変調装置の断面形状と入射光束及び反射光束の状態とを示す説明図である。図６（ａ）は、図４にＡ−Ａで示した断面と同様の断面における液晶光変調装置の断面形状と入射光束及び反射光束の状態とを示す説明図であり、６（ｂ）は、図６（ａ）に示した断面に略直交する断面における液晶光変調装置の断面形状と入射光束及び反射光束の状態とを示す説明図である。
【００６８】
図６に示すように、液晶光変調装置８１は、上述した液晶変調パネル４２と、実装ケース８３と、上述したＦＰＣ４５と、を有している。
実装ケース８３は、上述したケースプレート７１と、ケースカバー８２と、斜面枠８４と、上述したケース止め７３と、を有している。
【００６９】
ケースカバー８２は、ケースプレート７１と協働して液晶変調パネル４２を収容する凹部を有する筐体の、取付孔７１ｈに対応する位置である四隅が切り欠かれた形状を有している。ケースカバー８２は、液晶変調パネル４２（入射防塵ガラス７６の入射表面７６ａ）の画像表示領域４２ａの周辺領域を支持する額縁領域８２ｂを有している。額縁領域８２ｂには、液晶変調パネル４２の画像表示領域４２ａに対応した大きさの開口部８２ａが形成されている。ケースカバー８２には、額縁領域８２ｂを囲う位置に側壁８２ｃ、２個所の側壁８２ｄ、及び側壁８２ｅが形成されている。２個所の側壁８２ｄの側面（外面）には、略三角柱状に突起したフック部８２ｆがそれぞれ設けられている。
開口部８２ａは、額縁領域８２ｂを形成する端面であって、画像表示領域４２ａの面に略垂直な４面の開口壁８２１で形成されている。
【００７０】
斜面枠８４は、ケースカバー８２の入射側偏光板４６に対向する面上に、配設されている。斜面枠８４には、画像表示領域４２ａの面に平行な方向において開口部８２ａと略同形状の開口部８４ａが形成されている。斜面枠８４は略方形の外形形状をなし、中央部分に開口部８４ａが開口している。すなわち、斜面枠８４は、方形の中央に方形の開口が形成された額縁状の形状をしている。
【００７１】
開口部８４ａは、画像表示領域４２ａの面に略垂直な４面の開口壁８４１で形成されている。４面の開口壁８４１のそれぞれは、それぞれの開口壁８２１と、画像表示領域４２ａの面に平行な方向において同じ位置に位置しており、開口壁８４１と開口壁８２１とは、画像表示領域４２ａの面に略垂直な方向に重なっている。
額縁形状である斜面枠８４の面であって、入射側偏光板４６に対向する側の面の中で、額縁領域８２ｂ及び側壁８２ｄと略重なる部分の面を傾斜面８２２と表記し、額縁領域８２ｂ及び側壁８２ｃ又は側壁８２ｅと略重なる部分の面を傾斜面８２３と表記する。傾斜面８２２及び傾斜面８２３は、画像表示領域４２ａの面に対して傾いた面であって、外周側に対して、開口壁８４１と接続する側が入射側偏光板４６の方に膨出する状態で傾斜している。
【００７２】
傾斜面８２２、及び傾斜面８２３は、光束を反射し易くするために滑らかな面にすることが好ましい。より好ましくは、鏡面にすることが好ましい。斜面枠８４の材料としては、斜面枠８４を形成できる材料であれば特に制限はないが、傾斜面８２２、及び傾斜面８２３を滑らかな面にしたり、鏡面にしたりするためには、金属材料を用いることが好ましい。
【００７３】
上述した液晶光変調装置４１と同様に、液晶光変調装置８１に入射する光束は、入射側偏光板４６を透過して、液晶変調パネル４２の画像表示領域４２ａの面に対して略垂直に入射する。液晶変調パネル４２の光束が入射する側には入射防塵ガラス７６が配設されており、光束は、入射防塵ガラス７６の入射表面７６ａに略垂直に入射する。
【００７４】
図６（ａ）に示すように、斜面枠８４の開口部８４ａに入射する光束は、光束Ｌ７のように、入射表面７６ａ（液晶変調パネル４２の画像表示領域４２ａの面）に略垂直に入射して、液晶変調パネル４２によって変調されて、出射防塵ガラス７７側から出射される。光束Ｌ７のように、開口部８４ａの端の方に入射した光束であっても、開口壁８４１は入射防塵ガラス７６の入射表面７６ａに略垂直に形成されているため、光束の軸方向と開口壁８４１とは平行であって、開口部８４ａに入射した光束が開口壁８４１に当たることは実質的にないと言ってよい。
開口部８４ａを通過した光束が開口部８２ａを通過する際も、開口壁８２１は入射防塵ガラス７６の入射表面７６ａに略垂直に形成されているため、光束の軸方向と開口壁８２１とは平行であって、開口部８２ａに入射した光束が開口壁８２１に当たることは実質的にないと言ってよい。
【００７５】
光束Ｌ８又は光束Ｌ９のように、開口部８４ａから外れた光束は、斜面枠８４の傾斜面８２２に当たる。傾斜面８２２は、開口部８４ａの側が光束の入射方向に膨出した状態で、画像表示領域４２ａの面に対して傾いているため、傾斜面８２２に当たった光束Ｌ８又は光束Ｌ９が傾斜面８２２によって反射された反射光束Ｌ８１及び反射光束Ｌ９１は、光束Ｌ８又は光束Ｌ９に対して開口部８４ａとは反対側に向けて反射される。
【００７６】
図６（ｂ）に示すように、光束Ｌ１０のように、開口部８４ａの端の方に入射した光束であっても、開口壁８４１は入射防塵ガラス７６の入射表面７６ａに略垂直に形成されているため、光束の軸方向と開口壁８４１とは平行であって、開口部８４ａに入射した光束が開口壁８４１に当たることは実質的にないと言ってよい。
開口部８４ａを通過した光束が開口部８２ａを通過する際も、開口壁８２１は入射防塵ガラス７６の入射表面７６ａに略垂直に形成されているため、光束の軸方向と開口壁８２１とは平行であって、開口部８２ａに入射した光束が開口壁８２１に当たることは実質的にないと言ってよい。
【００７７】
光束Ｌ２０又は光束Ｌ３０のように、開口部８４ａから外れた光束は、斜面枠８４の傾斜面８２３に当たる。傾斜面８２３は、開口部８４ａの側が光束の入射方向に膨出した状態で、画像表示領域４２ａの面に対して傾いているため、傾斜面８２３に当たった光束Ｌ２０又は光束Ｌ３０が傾斜面８２３によって反射された反射光束Ｌ２２及び反射光束Ｌ３２は、光束Ｌ２０又は光束Ｌ３０に対して開口部８４ａとは反対側に向けて反射される。
【００７８】
＜他の光学変調装置＞
次に、光学変調装置１６とは異なる構成を有する光学変調装置９０の構成について、図７を参照して説明する。光学変調装置９０は、液晶光変調装置４１とは異なる構成を有する液晶光変調装置９１と、入射側偏光板４６とは異なる入射側偏光板９６と、を備えることが、光学変調装置１６とは異なっている。クロスダイクロイックプリズム４８などは、光学変調装置１６と共通である。
図７は、液晶光変調装置及び入射側偏光板の断面形状と、入射光束及び反射光束の状態と、を示す説明図である。図７（ａ）は、図４にＡ−Ａで示した断面と同様の断面における液晶光変調装置及び入射側偏光板の断面形状と入射光束及び反射光束の状態とを示す説明図であり、７（ｂ）は、図７（ａ）に示した断面に略直交する断面における液晶光変調装置及び入射側偏光板の断面形状と入射光束及び反射光束の状態とを示す説明図である。
【００７９】
図７に示すように、液晶光変調装置９１は、上述した液晶変調パネル４２と、実装ケース９３と、上述したＦＰＣ４５と、を有している。
実装ケース９３は、上述したケースプレート７１と、ケースカバー９２と、上述したケース止め７３と、を有している。
【００８０】
ケースカバー９２は、上述したケースカバー７２と基本的に同様の形状をしており、傾斜面７２２又は傾斜面７２３に対応する傾斜面９２２又は傾斜面９２３の画像表示領域４２ａの面に対する傾きの角度が小さいことが、ケースカバー７２と異なっている。
開口部９２ａは、画像表示領域４２ａの面に略垂直な４面の開口壁９２１で形成されている。
【００８１】
入射側偏光板９６は、入射側偏光板４６に、さらに傾斜面突起９７を形成した構成を有している。傾斜面突起９７は、入射側偏光板９６の液晶光変調装置９１に対向する面に形成されている。傾斜面突起９７には、画像表示領域４２ａの面に平行な方向において開口部９２ａと略相似形状であり、開口部９２ａより大きい開口部９７ａが形成されている。開口部９７ａは、画像表示領域４２ａの面に略垂直な４面の開口壁９７１で形成されている。
傾斜面突起９７における、傾斜面９２２に対向する面を傾斜面９６２と表記し、傾斜面９２３に対向する面を傾斜面９６３と表記する。傾斜面９６２及び傾斜面９６３は、画像表示領域４２ａの面に対して傾いた面であって、外周側に対して、開口壁９７１と接続する側が液晶光変調装置９１の方に膨出する状態で傾斜している。
傾斜面９６２、及び傾斜面９６３は、光を反射し易くするために滑らかな面にすることが好ましい。より好ましくは、鏡面にすることが好ましい。傾斜面突起９７を構成する材料としては、傾斜面突起９７を形成できる材料であれば特に制限はないが、傾斜面９６２及び傾斜面９６３を滑らかな面にしたり、鏡面にしたりするためには、金属材料を用いることが好ましい。
【００８２】
上述した液晶光変調装置４１と同様に、液晶光変調装置９１に入射する光束は、入射側偏光板９６を透過して、液晶変調パネル４２の画像表示領域４２ａの面に対して略垂直に入射する。液晶変調パネル４２の光束が入射する側には入射防塵ガラス７６が配設されており、光束は、入射防塵ガラス７６の入射表面７６ａに略垂直に入射する。
【００８３】
図７（ａ）に示すように、光束Ｌ４０又は光束Ｌ５０のように、開口部９２ａから外れた光束は、傾斜面９２２に当たる。傾斜面９２２は、開口部９２ａの側が光束の入射方向に僅かに膨出した状態で、画像表示領域４２ａの面に対して僅かに傾いているため、傾斜面９２２に当たった光束Ｌ４０又は光束Ｌ５０が傾斜面９２２によって反射された反射光束Ｌ４４及び反射光束Ｌ５４は、光束Ｌ４０又は光束Ｌ５０に対して開口部９２ａとは反対側に向けて反射される。
【００８４】
傾斜面９２２の画像表示領域４２ａの面に対する傾きが小さいため、反射光束Ｌ４４及び反射光束Ｌ５４は、傾斜面９６２に当たる。傾斜面９６２は、開口壁９７１と接続する側が液晶光変調装置９１の方に膨出する状態で、画像表示領域４２ａの面に対して傾斜している。このため、傾斜面９６２に当たった反射光束Ｌ４４又は反射光束Ｌ５４が傾斜面９６２によって反射された反射光束Ｌ４５及び反射光束Ｌ５５は、反射光束Ｌ４４又は反射光束Ｌ５４に対して開口部９７ａとは反対側に向けて反射される。
【００８５】
図７（ｂ）に示すように、光束Ｌ６０又は光束Ｌ７０のように、開口部９２ａから外れた光束は、傾斜面９２３に当たる。傾斜面９２３は、開口部９２ａの側が光束の入射方向に僅かに膨出した状態で、画像表示領域４２ａの面に対して僅かに傾いているため、傾斜面９２３に当たった光束Ｌ６０又は光束Ｌ７０が傾斜面９２３によって反射された反射光束Ｌ６４及び反射光束Ｌ７４は、光束Ｌ６０又は光束Ｌ７０に対して開口部９２ａとは反対側に向けて反射される。
【００８６】
傾斜面９２３の画像表示領域４２ａの面に対する傾きが小さいため、反射光束Ｌ６４及び反射光束Ｌ７４は、傾斜面９６３に当たる。傾斜面９６３は、開口壁９７１と接続する側が液晶光変調装置９１の方に膨出する状態で、画像表示領域４２ａの面に対して傾斜している。このため、傾斜面９６３に当たった反射光束Ｌ６４又は反射光束Ｌ７４が傾斜面９６３によって反射された反射光束Ｌ６５及び反射光束Ｌ７５は、反射光束Ｌ６４又は反射光束Ｌ７４に対して開口部９７ａとは反対側に向けて反射される。傾斜面９６２及び傾斜面９６３が第二の斜面に相当する。
【００８７】
以下、実施形態の効果を記載する。本実施形態によれば、以下の効果が得られる。
（１）開口壁７２１は入射防塵ガラス７６の入射表面７６ａに略垂直に形成されているため、光束の軸方向と開口壁７２１とは平行であって、開口部７２ａに入射した光束が開口壁７２１に当たることは実質的にない。このため、光束が開口壁７２１に当たって当該光束のエネルギによって実装ケース４３の温度が上昇することを抑制することができる。また、光束が開口壁７２１に当たって反射された反射光束が液晶変調パネルに入射されることをほとんどなくすることができる。
【００８８】
（２）光束Ｌ２のように、開口部７２ａから外れた光束は、ケースカバー７２の傾斜面７２２に当たる。傾斜面７２２は、開口部７２ａの側が光束の入射方向に膨出した状態で、画像表示領域４２ａの面に対して傾いているため、光束Ｌ２が傾斜面７２２によって反射された反射光束Ｌ２１は、光束Ｌ２に対して開口部７２ａとは反対側に向けて反射される。これにより、光束Ｌ２などが実装ケース４３に吸収されて実装ケース４３の温度が上昇することを抑制することができる。
【００８９】
（３）反射光束Ｌ２１のように、開口部７２ａとは反対側に向けて反射された光束は、入射側偏光板４６の少なくとも光学素子として使用される部分に入射される可能性は実質的にないため、反射光束が入射側偏光板４６の出射側に当たることで入射側偏光板４６の機能に影響を与える可能性をほとんどなくすることができる。
【００９０】
（４）反射光束Ｌ２１のように、開口部７２ａとは反対側に向けて反射された光束は、液晶変調パネル４２の画像表示領域４２ａに入射する可能性は実質的にないため、反射光束が液晶変調パネル４２の画像表示領域４２ａに入射されることで液晶変調パネル４２の機能に影響を与える可能性をほとんどなくすることができる。
【００９１】
（５）入射側偏光板９６は、傾斜面９６２及び傾斜面９６３を有するため、傾斜面９２２や傾斜面９２３などによって反射された反射光束Ｌ４４や反射光束Ｌ６４などが入射側偏光板９６に入射することを抑制することができる。
【００９２】
以上、添付図面を参照しながら好適な実施形態について説明したが、好適な実施形態は、前記実施形態に限らない。実施形態は、要旨を逸脱しない範囲内において種々変更を加え得ることは勿論であり、以下のように実施することもできる。
【００９３】
（変形例１）前記実施形態においては、傾斜面７２２などの斜面は平面であったが、斜面が平面であることは必須ではない。反射光束を開口部と反対方向に向けて反射できれば、曲面などであってもよい。
【００９４】
（変形例２）前記実施形態においては、傾斜面７２２などの斜面は連続した一つの面であったが、斜面が連続した面であることは必須ではない。反射光束を開口部と反対方向に向けて反射できれば、複数の面を組み合わせて形成した面であってもよい。
【００９５】
（変形例３）前記実施形態においては、傾斜面８２２及び傾斜面８２３を有する斜面枠８４はケースカバー８２に固定されていたが、斜面を有する部材が実装ケースと一体に形成されていることは必須ではない。斜面は、実装ケースとは分離して配設されていてもよい。
【００９６】
（変形例４）前記実施形態においては、傾斜面９６２及び傾斜面９６３を有する傾斜面突起９７は、入射側偏光板９６と一体に形成されていたが、第二の斜面としての傾斜面９６２及び傾斜面９６３が光学素子としての入射側偏光板９６と一体に形成されていることは必須ではない。第二の斜面は、電気光学素子に対して光束が入射する側に設けられた光学素子とは分離して配設されていてもよい。
【００９７】
（変形例５）前記実施形態においては、電気光学素子の一例としての液晶変調パネル４２を備える液晶光変調装置４１を電気光学装置の一例として説明したが、上記したような実装ケースを用いることが効果を奏する電気光学装置は液晶装置に限らない。液晶装置以外の電気光学装置としては、有機エレクトロルミネッセンス（Organic Electro-Luminescence）装置や、デジタルミラーデバイス（Digital Mirror Device）装置などが挙げられる。
【００９８】
（変形例６）前記実施形態においては、開口部７２ａの周囲の全周に傾斜面７２２、傾斜面７２３、又は傾斜面７２４を設けていたが、開口部の全周に斜面を形成することは必須ではない。開口部の周囲に、斜面を形成しない部分があってもよい。
【図面の簡単な説明】
【００９９】
【図１】投射型表示装置の概略構成を示す模式図。
【図２】（ａ）は、液晶変調パネルについて、各構成要素と共に対向基板側から見た平面図。（ｂ）は、（ａ）にＨ−Ｈで示した断面における断面形状を示す概略断面図。
【図３】液晶光変調装置を構成する主要要素を示す分解斜視図。
【図４】液晶光変調装置の概略形状を示す外観斜視図。
【図５】液晶光変調装置の断面形状と入射光束及び反射光束の状態とを示す説明図。
【図６】液晶光変調装置の断面形状と入射光束及び反射光束の状態とを示す説明図。
【図７】液晶光変調装置及び入射側偏光板の断面形状と、入射光束及び反射光束の状態と、を示す説明図。
【符号の説明】
【０１００】
１０…投射型表示装置、１１…光源装置、１２…色分離光学装置、１４…リレー光学装置、１６…光学変調装置、１７…投射光学装置、４１…液晶光変調装置、４２…液晶変調パネル、４２ａ…画像表示領域、４３…実装ケース、４６…入射側偏光板、４７…出射側偏光板、４８…クロスダイクロイックプリズム、７２…ケースカバー、７２ａ…開口部、８４…斜面枠、８４ａ…開口部、９６…入射側偏光板、９７…傾斜面突起、９７ａ…開口部、７２１…開口壁、７２２，７２３，７２４…傾斜面、８２１…開口壁、８２２，８２３…傾斜面、８４１…開口壁、９６２，９６３…傾斜面、９７１…開口壁。
【図１】
2010008845.tif 000003
【図２】
2010008845.tif 000004
【図３】
2010008845.tif 000005
【図４】
2010008845.tif 000006
【図５】
2010008845.tif 000007
【図６】
2010008845.tif 000008
【図７】
2010008845.tif 000009